(57)【要約】      （修正有）【課題】束の端に親指を当ててシートをめくり、容易に１枚のシートをつまむことができるメモ用紙・付箋紙等の積層シートを提供する。【解決手段】通常は形状が略長方形又は略正方形のメモ用紙８又は付箋紙の束であり、重合した全シート１の束の上端部２において接着剤６、再粘着再剥離糊又は留め具により剥離が可能に又は不可能に重着され又は綴じられている。重合した全シート１の束の開放側の下端縁３が底面５に対して鈍角に傾斜している。下端部３の両側に位置する角のうち１角又は両角が角Ｒ４となっている。親指の表面を角部に摺接させて行うメモ用紙８又は付箋紙のめくり作業を効率的に行うことができるようになる。上端部２が接着剤６又は留め具により綴じられているものはメモ用紙８となり、裏面に塗布された再粘着再剥離糊を介して剥離可能に重着されているものは付箋紙となる。【選択図】図２
0003192595.tif 000002
【実用新案登録請求の範囲】
【請求項１】
文具としての積層シートであって、
重合した全シートの束の上端縁が重着され又は綴じられ、
前記束の下端縁が開放され、
前記下端縁が前記束の底面に対して鈍角に傾斜していることを特徴とする積層シート。
【請求項２】
シートの形状が略長方形又は略正方形の積層シートであって、前記下端縁の両側に位置する角のうち１角又は両角が角Ｒとなっていることを特徴とする請求項１記載の積層シート。
【請求項３】
前記上端縁に塗布された接着剤を介して積層してなる多数枚のシートであって、メモ用紙として使用されることを特徴とする請求項１又は請求項２記載の積層シート。
【請求項４】
裏面に塗布された再粘着再剥離糊を介して積層してなる多数枚のシートであって、付箋紙として使用されることを特徴とする請求項１又は請求項２記載の積層シート。
【考案の詳細な説明】
【技術分野】
【０００１】
本考案は、主にメモ用紙又は付箋紙として使用される積層シートに関する。
【背景技術】
【０００２】
多数枚のシートを積層してなるメモ用紙、付箋紙等の束の周縁は通常、底面に対して垂直の構成となっている。
【０００３】
これに対し、特許文献１に記載の方法によって作成されるメモ帳等においては、開放側下端縁に印刷された文字・図柄について、束全体を円弧状に折り曲げた状態で絵柄浮き出し効果を持たせるために、開放側下端縁を底面に対して鋭角に傾斜する構成を有するものが開示されている。
【先行技術文献】
【特許文献】
【０００４】
【特許文献１】特許第３４７８９５４号
【考案の概要】
【考案が解決しようとする課題】
【０００５】
重合した全シートの束の開放側下端縁が底面に対して直角であるメモ用紙・付箋紙等の積層シートの束において、最上位にあるシートを剥離のため指でめくり上げたり、束の中間に位置する所望のシートを捜しあてるために親指を下端縁に摺接させる動作を行うときには、親指の表面でシートの端辺又は角を捕えにくく、作業等に時間がかかってしまうことがある。
【０００６】
まして、特許文献１に開示されている、開放側下端縁が底面に対して鋭角に傾斜する構成を有する積層シートについては親指と人差し指とで1枚のシートをつまむことができないため、下端縁ではなく側縁をめくるか、又は反対の手で束全体を曲折させつつ利き手で目的のシートをつまみあげるといった迂遠な動作を要する場合が多い。
【０００７】
メモ用紙・付箋紙等のシートめくりの際に生じる上述の問題は、繰り返し生じることにより、作業者の苛立ちの原因となることがある。とくに、付箋紙や伝票等の積層シートを多く扱う事務作業者にとっては、精神的にも時間的にも仕事上大きなロスとなる。
【０００８】
上述の問題に鑑み、本考案においては、束の端に親指を当ててシートをめくり、容易に１枚のシートをつまむことができるメモ用紙・付箋紙等の積層シートを提供することを課題とする。
【課題を解決するための手段】
【０００９】
上記課題を解決するために、本考案に係る積層シートの束は、通常は形状が略長方形又は略正方形のメモ用紙又は付箋紙の束であり、重合した全シートの束の上端部において、接着剤、再粘着再剥離糊又は留め具により、剥離が可能に又は不可能に重着され又は綴じられている。
【００１０】
本積層シートの第１の特徴は、重合した全シートの束の開放側の下端縁が底面に対して鈍角に傾斜していることであり、第２の特徴は、前記下端部の両側に位置する角のうち１角又は両角が角Ｒとなっていることである。
【００１１】
請求項３に記載の積層シートはメモ用紙として使用されるものであり、前記上端部が接着剤又は留め具により重着され又は綴じられ、接着剤により重着されているものは各シートが剥離可能となっている。
【００１２】
請求項４に記載の積層シートは付箋紙として使用されるもので、裏面に塗布された再粘着再剥離糊を介して剥離可能に重着されている。
【考案の効果】
【００１３】
積層シートの下端縁が底面に対して鈍角に傾斜していること、及び前記下端縁に角Ｒ部を有することにより、親指の表面を角部に摺接させて行うメモ用紙又は付箋紙のめくり作業を効率的に行うことができるようになる。
【００１４】
シートのめくり作業を効率的に行えるようになることで、事務作業にかける時間と労力が減少する。
【図面の簡単な説明】
【００１５】
【図１】本考案に係る積層シートの（Ａ）平面図と（Ｂ）側面図である。
【図２】本実施形態１の積層シートである。
【図３】本実施形態２の積層シートである。
【考案を実施するための形態】
【００１６】
以下、本考案の実施形態について図を用いて説明する。実施形態１はメモ用紙８としての使用を、また、実施形態２は付箋紙９としての使用を示したもので、どちらもシートの形状は略正方形とする。また、シートの材質は紙とする。
【００１７】
（実施形態１）
図１（Ｂ）に示すように、本積層シートは重着又は綴じられた上端縁２が底面５に対して垂直であるのに対して、開放側の下端縁３は底面５に対して鈍角に傾斜している。
【００１８】
また、  図１（Ａ）に示すように、下端縁３を形成する左右の角の両方が角Ｒ４となっている。使用者は底面５に対して鈍角に傾斜し、かつ、角Ｒとなった角に親指の表面を摺接させることにより、容易に目的のシートをめくり上げることが可能となる。
【００１９】
図３は、上端縁に塗設された接着剤６を介して剥離可能に積層されたメモ用紙８であるが、ホチキス等の固定具によって綴じられた見開きタイプのメモ用紙とすることもできる（不図示）。
【００２０】
（実施形態２）
図４は本考案に係る積層シートのうち、付箋紙９としての実施例である。シート１は上端縁２から一定の幅をもってシート裏面に塗布された再粘着再剥離糊７を介して剥離可能に重着されている。鈍角傾斜の下端縁３と角Ｒ部４は実施形態１と同様であり、使用者は親指と人差し指を使い容易に最上位のシートをつまんで剥離することができる。  
【００２１】
以上、本考案の有する特徴及び優れた点を、上記実施形態に記載したが、本考案は、本考案の原理の範囲内で、本願の実用新案登録請求の範囲で使用されている言葉を広く一般的な意味にまで広げて実施することが可能である。特に本積層シートの形状については方形のみならず様々な形とすることができる。また、材質及び用途についても紙のメモ用紙・付箋紙に限定されるものではなく、フィルムやプラスチックを用いた小冊子等についても本考案の実施は可能であり、それらの実施は本考案の技術的範囲に含まれるものと解する。
【符号の説明】
【００２２】
１    シート
２    上端縁
３    下端縁
４    角Ｒ部
５    底面
６    接着剤
７    再粘着再剥離糊
８    メモ用紙
９    付箋紙
【図１】
0003192595.tif 000003
【図２】
0003192595.tif 000004
【図３】
0003192595.tif 000005